(57)【特許請求の範囲】
【請求項１】
複数の立体視可能な視点画像を２回に分けて時分割表示する表示部と、
光源と、前記光源からの光を透過する開口部の位置を２個の異なる位置に時分割で可変制御可能な光変調素子と、前記開口部を透過した光を表示部側に集光させるレンチキュラレンズとを有し、前記表示部に向けて画像表示用の光を照射するバックライトと、
前記表示部において同一時間帯に表示されたＭ個（Ｍは２以上の整数）の視点画像を分離する分離部と
を備え、
前記分離部は、２つの観察領域のそれぞれにおいて前記Ｍ個の視点画像を形成し、
前記２つの観察領域の境界位置は、前記表示部の中央位置に対応し、
前記バックライトは、前記２つの観察領域の境界位置を境界にして２つの方向に光の出射方向を切り替え制御可能なものであり、前記表示部による時分割表示のタイミングに同期して、光の出射方向を時分割で切り替え制御する
表示装置。
【請求項２】
複数の視点画像をＮ回（Ｎは２以上の整数）に分けて時分割表示する表示部と、
前記表示部に向けて画像表示用の光を照射するバックライトと、
前記表示部において同一時間帯に表示されたＭ個（Ｍは２以上の整数）の視点画像を分離する分離部と
を備え、
前記バックライトは、
互いに対向配置され、互いに光の出射方向の異なる複数の導光板と、
複数のプリズムが形成され、前記複数の導光板に対向配置されたプリズムシートと
を有し、
前記複数の導光板を時分割で駆動することにより、Ｎ個の方向に光の出射方向を切り替え制御可能なものであり、前記表示部による時分割表示のタイミングに同期して、光の出射方向を時分割で切り替え制御し、
前記表示部への視点画像の書き込みタイミングと、前記表示部の応答タイミングと、一つの導光板の駆動タイミングとが等時間周期で繰り返される
表示装置。
【請求項３】
前記各プリズムは、前記複数の導光板側に第１の頂点を向けた、断面が逆三角形状の逆プリズムであり、
前記逆プリズムの底辺側にある第２の頂点と第３の頂点とのそれぞれの頂点角度が互いに異なる
請求項２に記載の表示装置。
【発明の詳細な説明】
【技術分野】
【０００１】
本開示は、パララックスバリア等の視差分離手段を用いて裸眼方式による立体表示を行う表示装置に関する。
【背景技術】
【０００２】
立体表示を行う手法としては、立体視用の眼鏡を用いる眼鏡方式と、立体視用の特殊な眼鏡を用いることなく裸眼での立体視を可能にした裸眼方式とがある。眼鏡方式の代表的なものとしては、左眼用シャッタと右眼用シャッタとを有するシャッタめがねを用いるシャッタめがね方式がある。シャッタめがね方式では、２次元表示パネルに左眼用と右眼用の各視差画像をフレームシーケンシャルで高速で交互に表示する。そして、各視差画像の表示タイミングに合わせて左眼用シャッタと右眼用シャッタとを交互に切り換えることにより、観察者の左眼には左眼用視差画像、右眼には右眼用視差画像のみを入射させることで、立体視を可能にしている。
【０００３】
一方、裸眼方式の代表的なものとしては、パララックスバリア方式とレンチキュラレンズ方式とがある。パララックスバリア方式やレンチキュラ方式の場合、２次元表示パネルに立体視用の視差画像（２視点の場合には右眼用視差画像と左眼用視差画像）を空間分割して表示し、その視差画像を視差分離手段によって水平方向に視差分離することで立体視が行われる。パララックスバリア方式の場合、視差分離手段としてスリット状の開口が設けられたパララックスバリアを用いる。レンチキュラ方式の場合、視差分離手段として、シリンドリカル状の分割レンズを複数並列配置したレンチキュラレンズが用いられる。
【先行技術文献】
【特許文献】
【０００４】
【特許文献１】特開平１０−２８２４５３号公報
【特許文献２】特開２００５−９１４４７号公報
【発明の概要】
【発明が解決しようとする課題】
【０００５】
しかしながら、視差分離手段を用いた裸眼方式では、複数の視点画像を２次元表示パネルの１つの画面内に空間分割して表示するため、表示パネル自体の本来の表示解像度よりも、各視点画像の表示解像度が劣化してしまう問題がある。この表示解像度の劣化は、視点画像の数が多くなるほど大きくなる。
【０００６】
一方、裸眼方式の場合、正常な立体視を行える観察領域が中央にあり、これをメインローブと呼ぶ。メインローブを挟んで横方向には、メインローブと同様に正常な立体視を行える観察領域が複数あり、これをサイドローブと呼ぶ。メインローブとサイドローブにはそれぞれ、複数の視点画像が同じ状態（配列）で表示される。例えば、３視点の立体表示を行う場合、メインローブとサイドローブにはそれぞれ、３視点分の視点画像が同じ配列で表示される。特許文献１，２には、２次元表示パネルの画像表示面側に視差分離手段を配置すると共に、２次元表示パネルと視差分離手段との間に、ローブ制御手段を配置した立体表示装置の構成が記載されている。この立体表示装置では、ローブ制御手段によってメインローブとサイドローブとを時分割で交互に表示すると共に、２次元表示パネルに表示する複数の視点画像を時分割で切り替えることで、メインローブとサイドローブとに異なる視点画像を表示する。これにより、視点数および観察領域の拡大を図っている。
【０００７】
本開示の目的は、立体視可能な視点数および観察領域を拡大することができるようにした表示装置を提供することにある。
【課題を解決するための手段】
【０００８】
本開示による表示装置は、複数の視点画像をＮ回（Ｎは２以上の整数）に分けて時分割表示する表示部と、表示部に向けて画像表示用の光を照射するバックライトと、表示部において同一時間帯に表示されたＭ個（Ｍは２以上の整数）の視点画像を分離する分離部とを備えたものである。そして、バックライトを、Ｎ個の方向に光の出射方向を切り替え制御可能なものであり、表示部による時分割表示のタイミングに同期して、光の出射方向を時分割で切り替え制御するようにしたものである。
【０００９】
本開示の表示装置では、複数の視点画像がＮ回に分けて表示部に時分割表示される。バックライトは、Ｎ個の方向に光の出射方向を切り替え、表示部による時分割表示のタイミングに同期して、光の出射方向を時分割で切り替える。これにより、Ｎ個の観察領域が全体として連続的な立体視が可能な領域となる。
【発明の効果】
【００１０】
本開示の表示装置によれば、表示部に複数の視点画像をＮ回に分けて時分割表示すると共に、表示部による時分割表示のタイミングに同期して、バックライトによる光の出射方向を時分割で切り替えるようにしたので、立体視可能な視点数および観察領域を拡大することができる。
【図面の簡単な説明】
【００１１】
【図１】本開示の一実施の形態に係る表示装置の全体構成および第１の表示状態を示す断面図である。
【図２】図１に示した表示装置における第２の表示状態を示す断面図である。
【図３】図１に示した表示装置におけるバックライトの第１の構成例を示す断面図である。
【図４】図１に示した表示装置におけるバックライトの第２の構成例を示す断面図である。
【図５】図４に示したバックライトを用いた表示装置における時分割制御のタイミング例を示す説明図である。
【図６】図４に示したバックライトによって左側方向に出射される光の輝度分布を示す特性図である。
【図７】図４に示したバックライトによって右側方向に出射される光の輝度分布を示す特性図である。
【図８】図４に示したバックライトを用いた表示装置による表示状態の一例を示す断面図である。
【図９】変形例に係る表示装置の全体構成および表示状態を示す断面図である。
【図１０】（Ａ）は変形例に係る表示装置におけるバックライトの出射方向の説明図である。（Ｂ）は変形例に係る表示装置における視差分離手段としてのレンチキュラレンズによって形成される１つの観察領域の説明図である。
【発明を実施するための形態】
【００１２】
以下、本開示の実施の形態について図面を参照して詳細に説明する。
【００１３】
［表示装置の全体構成］
図１および図２は、本開示の一実施の形態に係る表示装置の一構成例を示している。この表示装置は、表示部１と、視差分離手段（分離部）としてのレンチキュラレンズ２と、バックライト３とを備えている。
【００１４】
表示部１は、透過型の２次元表示ディスプレイ、例えば透過型の液晶表示パネルで構成されている。表示部１の表示画面には、複数の画素（またはサブピクセル）１Ａが２次元的に配列されている。表示部１の表示画面には、複数の視点画像がＮ回（Ｎは２以上の整数）に分けて時分割表示されるようになっている。
【００１５】
図１および図２の例では、第１〜第６の視点画像をＮ＝２回に分けて時分割表示する例を示しており、図１では第１〜第３の視点画像を表示し、図２では第４〜第６の視点画像を表示している。すなわち、図１の表示状態では、複数の画素（またはサブピクセル）１Ａに第１〜第３の視点画像が循環的に割り当てられ、第１〜第３の視点画像が１画面内に合成された視差合成画像が表示されている。図２の表示状態では、複数の画素（またはサブピクセル）１Ａに第４〜第６の視点画像が循環的に割り当てられ、第４〜第６の視点画像が１画面内に合成された視差合成画像が表示されている。
【００１６】
レンチキュラレンズ２は、例えばシリンドリカル状の分割レンズを複数並列配置したものとなっている。レンチキュラレンズ２は、表示部１において同一時間帯に表示されたＭ個（Ｍは２以上の整数）の視点画像を分離し、Ｎ個の観察領域のそれぞれにおいてＭ個の視点画像を形成させるようになっている。図１および図２の例では、同一時間帯に表示されたＭ＝３個の視点画像を分離し、Ｎ＝２個の観察領域（第１の観察領域１１、第２の観察領域１２）のそれぞれにおいて３個の視点画像を形成させている。
【００１７】
なお、本実施の形態では、レンチキュラレンズ２を用いたレンチキュラレンズ方式を例に説明するが、パララックスバリア方式による表示装置の構成にすることも可能である。この場合、レンチキュラレンズ２に代えて、視差分離手段としてパララックスバリア素子が用いられる。パララックスバリア素子は、光を透過する開口部と、光を遮蔽する遮蔽部とを備えたものである。
【００１８】
バックライト３は、Ｎ個の観察領域に対応するＮ個の方向に光の出射方向を切り替え制御可能なものであり、表示部１による時分割表示のタイミングに同期して、光の出射方向を時分割で切り替え制御するようになっている。
【００１９】
図１および図２の例では、バックライト３は、Ｎ＝２個の観察領域（第１の観察領域１１、第２の観察領域１２）に対応するＮ＝２個の方向に光の出射方向を切り替えている。すなわち、図１では第１の観察領域１１に対応する方向に光の出射方向を切り替え、図２では第２の観察領域１２に対応する方向に光の出射方向を切り替えている。図１および図２の例では、２つの観察領域（第１の観察領域１１、第２の観察領域１２）の境界位置は、表示部１の中央位置に対応している。バックライト３は、２つの観察領域の境界位置を境界にして２つの方向に光の出射方向を切り替えている。
【００２０】
［表示装置の全体動作］
この表示装置では、複数の視点画像がＮ回に分けて表示部１に時分割表示される。バックライト３は、Ｎ個の観察領域に対応するＮ個の方向に光の出射方向を切り替え、表示部１による時分割表示のタイミングに同期して、光の出射方向を時分割で切り替える。これにより、Ｎ個の観察領域が全体として連続的な立体視が可能な領域となり、立体視可能な視点数および観察領域を拡大することができる。
【００２１】
図１および図２の例では、まず、第１の表示状態（図１）として、表示部１に第１〜第３の視点画像が表示される。レンチキュラレンズ２は、第１の観察領域１１および第２の観察領域１２のそれぞれにおいて第１〜第３の視点画像を形成させる。これに同期してバックライト３は、第１の観察領域１１に対応する方向に光の出射方向を切り替える。この場合、第２の観察領域１２には光が到達しない状態となるので、結果的に、第１の観察領域１１に表示された第１〜第３の視点画像のみを観察可能となる。
【００２２】
次に、第２の表示状態（図２）として、表示部１に第４〜第６の視点画像が表示される。レンチキュラレンズ２は、第１の観察領域１１および第２の観察領域１２のそれぞれにおいて第４〜第６の視点画像を形成させる。これに同期してバックライト３は、第２の観察領域１２に対応する方向に光の出射方向を切り替える。この場合、第１の観察領域１１には光が到達しない状態となるので、結果的に、第２の観察領域１２に表示された第４〜第６の視点画像のみを観察可能となる。
【００２３】
図１の第１の表示状態と図２の第２の表示状態とを人間の眼には判別できないような高速のタイミングで交互に切り替えることにより、全体としての正常な立体視可能な観察領域は、第１の観察領域１１と第２の観察領域１２とを合わせた領域となる。また、全体としての視点数は６つとなる。
【００２４】
［バックライト３の第１の具体例］
図３は、バックライト３の第１の具体例を示している。なお、図３では第１の表示状態では第１〜第４の視点画像を表示し、第２の表示状態では第５〜第８の視点画像を表示して全体としての視点数は８つにした場合を例にしている。
【００２５】
この第１の具体例では、バックライト３は、光源２１と、光変調素子２２と、レンチキュラレンズ２３とを備えている。光源２１は、ＣＣＦＬ（冷陰極蛍光ランプ）等の蛍光ランプや、ＬＥＤ（Light Emitting Diode）等を用いた面状光源となっている。
【００２６】
光変調素子２２は、例えば液晶素子で構成されている。光変調素子２２は、光源２１からの光を透過する開口部２２Ａと、光を遮光する遮光部２２Ｂとを有し、開口部２２Ａの位置をＮ個の異なる位置に時分割で可変制御可能となっている。レンチキュラレンズ２３は、例えばシリンドリカル状の分割レンズを複数並列配置したものとなっている。レンチキュラレンズ２３は、開口部２２Ａを透過した光を表示部１側に集光させるようになっている。
【００２７】
この第１の具体例では、光変調素子２２の開口部２２Ａの位置を変化させることにより、光の出射方向を切り替え制御可能となっている。図３では、第２の観察領域１２に対応する方向に光の出射方向を切り替えている状態を示している。
【００２８】
［バックライト３の第２の具体例］
図４は、バックライト３の第２の具体例を示している。この第２の具体例では、バックライト３は、下側から順に、反射板３５と、下側導光板３１と、上側導光板３２と、プリズムシート３３とを備えている。下側導光板３１と上側導光板３２は、互いに対向配置され、互いに光の出射方向が異なるような構成とされている。下側導光板３１の１つの側面には、ＣＣＦＬ等の蛍光ランプや、ＬＥＤ等を用いた光源３１Ａが配置されている。上側導光板３２の１つの側面にも同様に光源３２Ａが配置されている。下側導光板３１に配置された光源３１Ａと上側導光板３２に配置された光源３２Ａは、互いに配置方向が逆側となっている。図４では、光源３１Ａを左側、光源３２Ａを右側に配置した例を示している。
【００２９】
下側導光板３１の底面には複数の傾斜面３１Ｂが形成されている。傾斜面３１Ｂは、光源３１Ａが配置された向きに傾斜し、光源３１Ａから照射された光を下側導光板３１の上面から外部へ所定の角度で出射させるようになっている。下側導光板３１からの出射光は、上側導光板３２およびプリズムシート３３を介して、第２の観察領域１２に対応する方向に出射される。
【００３０】
上側導光板３２の底面には複数の傾斜面３２Ｂが形成されている。傾斜面３２Ｂは、光源３２Ｂが配置された向きに傾斜し、光源３２Ａから照射された光を上側導光板３２の上面から外部へ所定の角度で出射させるようになっている。上側導光板３２からの出射光は、プリズムシート３３を介して、第１の観察領域１１に対応する方向に出射される。
【００３１】
プリズムシート３３は、下側導光板３１と上側導光板３２とに対向配置されている。プリズムシート３３には、導光板側に第１の頂点を向けた、断面が逆三角形状の逆プリズム３４が複数、設けられている。逆プリズム３４の第１の面３４Ａは、上側導光板３２からの出射光を、第１の観察領域１１に対応する方向に反射するようになっている。逆プリズム３４の第２の面３４Ｂは、下側導光板３１からの出射光を、第２の観察領域１２に対応する方向に反射するようになっている。
【００３２】
この第２の具体例では、下側導光板３１と上側導光板３２とを時分割で交互に駆動することにより、光の出射方向を切り替え制御可能となっている。図５は、バックライト３を図４の構成にした場合における時分割制御のタイミング例を示している。図４（Ａ）は表示部１への視点画像データの書き込みタイミングを示し、図４（Ｂ）は表示部１を液晶ディスプレイとした場合の液晶応答タイミングを示している。図４（Ｃ）は、バックライト３における下側導光板３１（左側の光源３１Ａ）と上側導光板３２（右側の光源３２Ａ）との光源点灯タイミングを示している。
【００３３】
図４（Ａ）において、まず、第１〜第３の視点画像のデータを表示部１に書き込む。次に、図４（Ｂ）および図４（Ｃ）に示したように、表示部１の液晶応答が完全になされた状態で右側の光源３２Ａを点灯する。これにより、第１の観察領域１１に表示された第１〜第３の視点画像のみを観察可能となる。次に、図４（Ａ）において、第４〜第６の視点画像のデータを表示部１に書き込む。次に、図４（Ｂ）および図４（Ｃ）に示したように、表示部１の液晶応答が完全になされた状態で左側の光源３１Ａを点灯する。これにより、第２の観察領域１２に表示された第４〜第６の視点画像のみを観察可能となる。
【００３４】
（逆プリズム３４の頂点角度について）
図６は、図４に示したバックライト３において右側の光源３２Ａを点灯して、左側方向（第１の観察領域１１）に出射される光の輝度分布を示している。図７は、図４に示したバックライト３において左側の光源３１Ａを点灯して、右側方向（第２の観察領域１２）に出射される光の輝度分布を示している。横軸は表示部１の中心方向を０°、左側方向をマイナス、右側方向をプラスとしている。
【００３５】
図６および図７の特性は、逆プリズム３４の第１の頂点（第１の面３４Ａと第２の面３４Ｂとによって形成される下側の頂点）の角度を約７０°とし、底辺側にある第２の頂点の角度θａと第３の頂点の角度θｂとを互いに等しくした場合の輝度特性をシミュレーションしたものである。このような構成にした場合、図６および図７に示したように、輝度のピークは左側では−１５°、右側では１２°と非対称になる。これは、下側導光板３１からの出射光の角度が上側導光板３２の影響を受けるためである。逆プリズム３４における底辺側の第２の頂点の角度θａと第３の頂点の角度θｂとを互いに等しくした、通常の左右対称型のプリズムを使うと、上側導光板３２からの光は相対的に左方向に大きく屈折する。下側導光板３１による右側への光の屈折角度は相対的に若干小さくなる。これを改善ために、第２の頂点の角度θａと第３の頂点の角度θｂとを異ならせることが好ましい。具体的には例えば、以下の値のようにして、第２の頂点の角度θａを、第３の頂点の角度θｂよりも小さくすることが好ましい。これにより、バックライト３からの光は左右方向に±１３．６°付近にほぼ均等に出射される。
θａ＝５４．３°、θｂ＝５５．７°
【００３６】
なお、図６および図７の特性のように、バックライト３による光の輝度分布が左右方向で異なる状態となる場合、２つの観察領域（第１の観察領域１１、第２の観察領域１２）の境界位置をその輝度分布の違いに応じてずらした位置となるようにすれば良い。図８は、そのような表示状態の一例を示している。図１および図２の例では、２つの観察領域の境界位置は、表示部１の中央位置に対応させるようにしたが、図８の表示例では、２つの観察領域の境界位置を左側にずらしている。
【００３７】
［変形例］
以上の説明では、Ｎ＝２回に分けて時分割表示する場合を例に説明したが、Ｎ＝３回以上に分けて時分割表示することも可能である。
【００３８】
図９は、第１〜第１２の視点画像をＮ＝３回に分けて時分割表示する例を示している。図９の例では、レンチキュラレンズ２は、同一時間帯に表示されたＭ＝４個の視点画像を分離し、Ｎ＝３個の観察領域（第１の観察領域５１、第２の観察領域５２、第３の観察領域５３）のそれぞれにおいて４個の視点画像を形成させている。第１の観察領域５１は、いわゆるメインローブ、第２の観察領域５２は第１のサイドローブ、第３の観察領域５３は第２のサイドローブに対応する。
【００３９】
図１０（Ａ）はこの変形例に係る表示装置におけるバックライト３の出射方向を示している。なお、図１０（Ａ）では、バックライト３として図３に示した光変調素子２２とレンチキュラレンズ２３とを有する構成にした場合を例にしている。図１０（Ｂ）は視差分離手段（分離部）としてのレンチキュラレンズ２によって形成される第１の観察領域５１を示している。図１０（Ａ），（Ｂ）に示したように、バックライト３は、第１の観察領域５１の両端部を境界とするような３つの方向に光の出射方向を切り替え制御する。
【００４０】
この変形例では、第１の表示状態では、表示部１に第５〜第８の視点画像が表示されると共に、バックライト３は、第１の観察領域５１に対応する方向に光の出射方向を切り替える。この場合、第２の観察領域５２と第３の観察領域５３とには光が到達しない状態となるので、結果的に、第１の観察領域５１に表示された第５〜第８の視点画像のみを観察可能となる。同様にして、第２の表示状態では、第２の観察領域５２に表示された第１〜第４の視点画像のみを観察可能となり、第３の表示状態では、第３の観察領域５３に表示された第９〜第１２の視点画像のみを観察可能となる。
【００４１】
なお、本変形例においても、バックライト３として図４のような導光板方式のものを用いることも可能である。図４では下側導光板３１と上側導光板３２との２つの導光板を対向配置した構成例を示したが、例えば３つ以上の導光板を対向配置することによって、３つ以上の方向に光の出射方向を切り替え制御可能である。
【００４２】
［効果］
以上説明したように、本実施の形態に係る表示装置によれば、表示部１に複数の視点画像をＮ回に分けて時分割表示すると共に、表示部１による時分割表示のタイミングに同期して、バックライト３による光の出射方向を時分割で切り替えるようにしたので、立体視可能な視点数および観察領域を拡大することができる。
【００４３】
＜その他の実施の形態＞
本開示による技術は、上記実施の形態の説明に限定されず種々の変形実施が可能である。
【００４４】
例えば、本技術は以下のような構成を取ることができる。
（１）
複数の視点画像をＮ回（Ｎは２以上の整数）に分けて時分割表示する表示部と、
前記表示部に向けて画像表示用の光を照射するバックライトと、
前記表示部において同一時間帯に表示されたＭ個（Ｍは２以上の整数）の視点画像を分離する分離部と
を備え、
前記バックライトは、Ｎ個の方向に光の出射方向を切り替え制御可能なものであり、前記表示部による時分割表示のタイミングに同期して、光の出射方向を時分割で切り替え制御する
表示装置。
（２）
前記分離部は、Ｎ個の観察領域のそれぞれにおいて前記Ｍ個の視点画像を形成させる
上記（１）に記載の表示装置。
（３）
前記バックライトは、前記Ｎ個の観察領域に対応する前記Ｎ個の方向に光の出射方向を切り替え制御可能なものである
上記（２）に記載の表示装置。
（４）
前記表示部は、各回の時分割表示においてそれぞれ異なる視点画像を表示する
上記（１）ないし（３）のいずれか１つに記載の表示装置。
（５）
前記表示部は、前記複数の視点画像を２回に分けて時分割表示し、
前記分離部は、２つの観察領域のそれぞれにおいて前記Ｍ個の視点画像を形成し、
前記２つの観察領域の境界位置は、前記表示部の中央位置に対応し、
前記バックライトは、前記２つの観察領域の境界位置を境界にして２つの方向に光の出射方向を切り替え制御可能である
上記（３）に記載の表示装置。
（６）
前記表示部は、前記複数の視点画像を３回以上に分けて時分割表示し、
前記分離部は、３つ以上の観察領域のそれぞれにおいて前記Ｍ個の視点画像を形成し、
前記バックライトは、前記各観察領域の両端部を境界とするような３つ以上の方向に光の出射方向を切り替え制御可能である
上記（３）に記載の表示装置。
（７）
前記バックライトは、
光源と、
前記光源からの光を透過する開口部と光を遮光する遮光部とを有し、前記開口部の位置をＮ個の異なる位置に時分割で可変制御可能な光変調素子と、
前記開口部を透過した光を集光させるレンチキュラレンズとを有する
上記（１）ないし（６）のいずれか１つに記載の表示装置。
（８）
前記バックライトは、
互いに対向配置され、互いに光の出射方向の異なる複数の導光板と、
複数のプリズムが形成され、前記複数の導光板に対向配置されたプリズムシートと
を有し、
前記複数の導光板を時分割で駆動することにより、光の出射方向を切り替え制御可能である
上記（１）ないし（５）のいずれか１つに記載の表示装置。
（９）
前記各プリズムは、前記複数の導光板側に第１の頂点を向けた、断面が逆三角形状の逆プリズムであり、
前記逆プリズムの底辺側にある第２の頂点と第３の頂点とのそれぞれの頂点角度が互いに異なる
上記（８）に記載の表示装置。
【符号の説明】
【００４５】
１…表示部、１Ａ…画素（またはサブピクセル）、２…レンチキュラレンズ、３…バックライト、１１…第１の観察領域、１２…第２の観察領域、２１…光源、２２…光変調素子、２２Ａ…開口部、２２Ｂ…遮光部、２３…レンチキュラレンズ、３１…下側導光板、３１Ａ…光源、３１Ｂ…傾斜面、３２…上側導光板、３２Ａ…光源、３２Ｂ…傾斜面、３３…プリズムシート、３４…逆プリズム、３４Ａ…第１の面、３４Ｂ…第２の面、３５…反射板、５１…第１の観察領域（メインローブ）、５２…第２の観察領域（第１のサイドローブ）、５３…第３の観察領域（第２のサイドローブ）。
【図１】
0005649526.tif 000002
【図２】
0005649526.tif 000003
【図３】
0005649526.tif 000004
【図４】
0005649526.tif 000005
【図５】
0005649526.tif 000006
【図６】
0005649526.tif 000007
【図７】
0005649526.tif 000008
【図８】
0005649526.tif 000009
【図９】
0005649526.tif 000010
【図１０】
0005649526.tif 000011